(57)【要約】【課題】本発明は、中音の歪みが少なくかつ低音の音圧を大きくし、広い音場を形成するように出力するための低音出力装置及びエンクロージャーを提供することを目的とする。【解決手段】本発明の低音出力装置１は、スピーカユニット５を取り付けるためのエンクロージャー６に設けられる。低音出力装置１は、スピーカユニット５の前面以外に設けられたホーン部２と、エンクロージャー６の空気室１１内からホーン部２を構成する面に対して貫通して設けられている複数の孔部３とを備える。複数の孔部３の長さ及び断面積は、それぞれ、所望の最低共振周波数を有するように設計されている。複数の孔部３は、スピーカユニットの前面を前側としたときに、前後方向、左右方向、及び上下方向に複数配置されている。【選択図】図４
2012191606.tif 000002
【特許請求の範囲】
【請求項１】
スピーカユニットを取り付けるためのエンクロージャーに設けられる低音出力装置であって、
前記スピーカユニットの前面以外に設けられたホーン部と、
前記エンクロージャーの空気室内から前記ホーン部を構成する面に対して貫通して設けられている複数の孔部とを備え、
前記複数の孔部の長さ及び断面積は、それぞれ、所望の最低共振周波数を有するように設計されていることを特徴とする、低音出力装置。
【請求項２】
前記複数の孔部は、前記スピーカユニットの前面を前側としたときに、前後方向、左右方向、及び上下方向に複数配置されていることを特徴とする、請求項１に記載の低音出力装置。
【請求項３】
前記複数の孔部は、３以上であることを特徴とする、請求項１又は２に記載の低音出力装置。
【請求項４】
前記複数の孔部は、前記ホーン部を構成する少なくとも一側面に設けられていることを特徴とする、請求項１〜３のいずれかに記載の低音出力装置。
【請求項５】
前記複数の孔部は、前記ホーン部を構成する全側面に設けられていることを特徴とする、請求項１〜３のいずれかに記載の低音出力装置。
【請求項６】
前記複数の孔部の長さは、１０ｃｍ以内であることを特徴とする、請求項１〜５のいずれかに記載の低音出力装置。
【請求項７】
前記複数の孔部は、複数の孔が穿孔された板部材によって形成されていることを特徴とする、請求項１〜６のいずれかに記載の低音出力装置。
【請求項８】
請求項１〜７のいずれかに記載の低音出力装置を備えたエンクロージャー又はスピーカシステム。
【発明の詳細な説明】
【技術分野】
【０００１】
本発明は、エンクロージャーに設けられて低音を出力することができる低音出力装置に関する。
【背景技術】
【０００２】
従来、低音域を出力するためのエンクロージャーとして、位相反転形のエンクロージャーが一般に知られている（たとえば、特許文献２の図５など）。位相反転形のエンクロージャーでは、スピーカユニットをキャビネットで覆って、キャビネットに空気室を形成する。位相反転形のエンクロージャーでは、キャビネットの内外を連通するポートを設けることで、キャビネットとポートに発生する空気の共振現象を利用して、低周波数領域の出力を向上させる。
【０００３】
特許文献１では、壁面やコーナーに設置しても反射による音波の干渉を引き起こすことのないスピーカボックスが開示されている。特許文献１に記載のスピーカボックスでは、キャビネット（３）の背面板（４）及びポート（５）によって、ポートが形成されている。ポート５が放出する音波は、背面板（４）と底面板（６）の接続部に設置されたガイド（８）によって、スピーカ装置の前面にスムーズに放出される。これによって、スピーカ装置の背面方向に音波が放出されずに前面（及び側面）方向にのみ放出されるとされている。
【０００４】
特許文献２〜７では、スピーカユニットの前面にバッフル面に向かって開いた音響ホーンを配設して、当該音響ホーンの一部に複数の開口部を設け、当該開口部をポートとして利用するスピーカシステムが開示されている。
【０００５】
特許文献８では、既成のスピーカボックスにほぼ直角に孔（４）を開けて、当該孔（４）に結合すべき開口（９）を有し当該開口（９）から拡散するような空間（８）を形成している箱体（１０）をスピーカボックスに連結したスピーカ装置が開示されている。特許文献８のスピーカ装置は、周波数特性が低域及び高域に渡って顕著に改善されるとされている。
【０００６】
特許文献９では、仕切り板（２）が、音源スピーカ（３）の振動板の後面より、バスレフダクト（４）の出口（４ａ）までの間において、次第に断面積が大きくなる音道を形成するように、音孔（２ａ）を穿設するスピーカボックスが開示されている。特許文献９のスピーカボックスは、バスレフ効果と定在波防止効果を併せ持つとされている。
【０００７】
特許文献１０では、いわゆるバックロードホーン方式によるスピーカシステムが開示されている。
【先行技術文献】
【特許文献】
【０００８】
【特許文献１】特開２００６−２４６１５６号公報  図５・段落００２７
【特許文献２】特開平３−２３５４９７号公報  図１
【特許文献３】実開平４−２９２９１号公報  図１
【特許文献４】特開平４−１０３２９９号公報  図１
【特許文献５】特開平４−２３５５００号公報  図１
【特許文献６】特開平４−２８０６００号公報  図８
【特許文献７】実開平５−３９０９３号公報  図１
【特許文献８】特開昭６０−２２６２９８号公報
【特許文献９】実開平４−１２６４８８号公報  図３・図４
【特許文献１０】特開２００２−１０３８４号公報  図１
【発明の概要】
【発明が解決しようとする課題】
【０００９】
特許文献２の図５に記載されているような従来の位相反転形のエンクロージャーでは、たとえば、ポートの半径を１．５ｃｍにし、ポートの長さを２０ｃｍにして、空気室の容量を５リットルにした場合、表１に示すように、低音は出力されるが中音に歪みが出る場合がある。一方、たとえば、ポートの半径を０．５ｃｍにし、ポートの長さを１．５ｃｍにし、空気室の容量を５リットルにした場合、表２に示すように、低音は出力されるが音圧が小さいという問題がある。なお、本明細書に示す各表は、横軸を周波数とし、縦軸を音圧としている。
【表１】
2012191606.tif 000003
【表２】
2012191606.tif 000004
【００１０】
それゆえ、本発明は、低音の音圧が大きく、かつ中音の歪みが少なくなるように出力するための低音出力装置及びエンクロージャーを提供することを目的とする。
【課題を解決するための手段】
【００１１】
上記課題を解決するために、本発明は、以下のような特徴を有する。本発明は、スピーカユニットを取り付けるためのエンクロージャーに設けられる低音出力装置であって、スピーカユニットの前面以外に設けられたホーン部と、エンクロージャーの空気室内からホーン部を構成する面に対して貫通して設けられている複数の孔部とを備え、複数の孔部の長さ及び断面積は、それぞれ、所望の最低共振周波数を有するように設計されていることを特徴とする。
【００１２】
好ましくは、複数の孔部は、スピーカユニットの前面を前側としたときに、前後方向、左右方向、及び上下方向に複数配置されているとよい。
【００１３】
好ましくは、複数の孔部は、３以上であるとよい。
【００１４】
好ましくは、複数の孔部は、ホーン部を構成する少なくとも一側面に設けられているとよい。
【００１５】
好ましくは、複数の孔部は、ホーン部を構成する全側面に設けられているとよい。
【００１６】
好ましくは、複数の孔部の長さは、１０ｃｍ以内であるとよい。
【００１７】
好ましくは、複数の孔部は、複数の孔が穿孔された板部材によって形成されているとよい。
【００１８】
本発明は、上記いずれかの低音出力装置を備えたエンクロージャー又はスピーカシステムである。
【発明の効果】
【００１９】
本発明によれば、所望の最低共振周波数を有する複数の孔部を設け、複数の孔部を空気室内からホーン部を構成する面に対して貫通して設けることによって、複数の孔部で増強され位相が反転した低音が、ホーン部によって音圧を高められることとなる。よって、音圧の高い低音を出力することが可能となる。特に、複数の孔部という構成によって、長いバスレフポートを用いることとはならないので、中音の歪みが少なくなる。したがって、中音の歪みを少なくかつ音圧が大きくなるように低音を出力できる低音出力装置が提供される。
【００２０】
また、スピーカユニットの前面を前側としたときに、複数の孔部を、前後方向、左右方向、及び上下方向に配置すると、前後方向の配置によって、音場が奥行き方向で広がる効果が得られ、左右方向の配置によって、音場が左右方向で広がる効果が得られ、上下方向の配置によって、音場が上下方向で広がる効果が得られる。その上、ホーン部によって、低音が増強されるので、結果、立体感のある音場、すなわち、上下左右及び奥行き方向への音場の広がりを感じることができるスピーカシステムを提供することが可能となる。前後方向、左右方向、及び上下方向に複数の孔部を配置するために、３以上の孔部を用いればよい。
【００２１】
ただし、前後方向、左右方向、及び上下方向に複数の孔部を配置しない場合であっても、３以上の孔部を用いれば、音圧が大きくなる。
【００２２】
複数の孔部をホーン部の一側面に設けることによって、低音出力装置をエンクロージャーの好みの場所に自由に取り付けることが可能となる。
【００２３】
複数の孔部をホーン部の全側面に設けることによって、ホーン部の全側面に複数の孔部を穿孔することによって、バスレフ効果及びホーン効果がさらに向上し、低音出力が増強され、かつ、音圧が大きくなる。ただし、孔部の数を増やした場合、音圧は、あるところで、頭打ちになる可能性はあるが、音場の広がり効果は得られる。
【００２４】
複数の孔部の長さを、１０ｃｍ以内とすることによって、従来のバスレフポートの長さに比べて、十分に短く小径の孔部をバスレフポートとして機能させることによって、中音の歪みが少なくなる。
【００２５】
複数の孔部を、複数の孔が穿孔された板部材によって形成することによって、簡易な構成で低音出力装置を提供することができ、低コストで、立体的な音場感を得ることができる低音出力装置を提供することができる。
【００２６】
本発明の低音出力装置をエンクロージャーに用いれば、中音を歪みが少なくかつ音圧が大きくなるように出力することができるエンクロージャー及びスピーカシステムを提供することが可能となる。
【００２７】
なお、特許文献１のスピーカボックスでは、ポート（５）が所望の最低共振周波数を有するように設計されているか否か不明であり、また、ポート（５）は、本発明の孔部とは構成が異なり、さらに、ポート（５）は一つしかない。また、特許文献２〜７のスピーカシステムでは、スピーカユニットの前面にホーンが形成されているが、本発明のホーン部は、スピーカユニットの前面以外に設けられている。特許文献８のスピーカ装置における孔（４）は、単に、既成のスピーカボックスに穿孔されたに過ぎず、本発明の孔部のように、所望の最低共振周波数を有するように設計されておらず、また、孔（４）は一つしかない。特許文献９のスピーカボックスの音孔（２ａ）は、本発明の孔部のように、所望の最低共振周波数を有するように設計されておらず、また、音孔（２ａ）は一つしかない。特許文献１０のスピーカシステムでは、本発明の孔部のような構成を有さない。
【００２８】
本発明のこれら、及び他の目的、特徴、局面、効果は、添付図面と照合して、以下の詳細な説明から一層明らかになるであろう。
【図面の簡単な説明】
【００２９】
【図１】図１は、本発明の第１の実施形態に係る低音出力装置１の斜視図である。
【図２】図２は、図１におけるＡ−Ａ面断面図である。
【図３】図３は、図１における低音出力装置１の側面図である。
【図４】図４は、低音出力装置１をエンクロージャー６に取り付けたときのスピーカシステム全体の様子を示す斜視図である。
【図５Ａ】図５Ａは、図４におけるＢ−Ｂ面断面図である。
【図５Ｂ】図５Ｂは、第1の実施形態に係る他の例を示す断面図である。
【図６】図６は、本発明の第２の実施形態に係る低音出力装置１の斜視図である。
【図７】図７は、図６におけるＣ−Ｃ面断面図である。
【図８】図８は、本発明の第３の実施形態にホーン部２の斜視図である。
【図９】図９は、ホーン部２が底板７に取り付けられたときの様子を示す断面図である。
【図１０】図１０は、第４の実施形態に係る低音出力装置１の断面図である。
【図１１】図１１は、第４の実施形態の変形例を示す断面図である。
【図１２】図１２は、本発明の第５の実施形態に係る低音出力装置１の斜視図である。
【図１３】図１３は、第５の実施形態の変形例を示す断面図である。
【図１４】図１４は、本発明の第６の実施形態に係る低音出力装置１の斜視図である。
【図１５】図１５は、本発明の第７の実施形態に係る低音出力装置１の斜視図である。
【図１６】図１６は、図１５に係る低音出力装置１をエンクロージャー６に取り付けたときのスピーカシステム全体の様子を示す斜視図である。
【発明を実施するための形態】
【００３０】
（第１の実施形態）
図１は、本発明の第１の実施形態に係る低音出力装置１の斜視図である。図２は、図１におけるＡ−Ａ面断面図である。図３は、図１における低音出力装置１の側面図である。低音出力装置１は、ホーン部２と、複数の孔部３と、板部材４とを備える。ホーン部２は、上面２ａ、下面２ｂ、左側面２ｃ、右側面２ｄ、及び背面２ｅによって囲まれており、開口２ｆに向かうに従って開口断面積が広がる形状を有している。上面２ａ及び板部材４には、複数の孔部３が穿孔されている。図２及び図３に示されているように、各孔部３は、ホーン部２を構成する面（ここでは、上面２ａ）に対して貫通して設けられている。
【００３１】
第１の実施形態では、前後方向（図１上、開口２ｆから背面２ｅの方向）、左右方向（図１上、左側面２ｃから右側面２ｄの方向）、及び上下方向（図１上、上面２ａから下面２ｂの方向）に、合計９つの孔部３が均等に配置されている。ただし、孔部３は複数であれば、その数、形状、及び配置位置などは、特に限定されない。各孔部３は、所望の最低共振周波数を有するように、断面積及び長さが設計されている。すなわち、各孔部３がバスレフポートとしての役割を果たすように、各孔部３の断面積及び長さが設計されている。
【００３２】
具体的には、各孔部３の断面積及び長さの設計方法は、下記のようになる。
Ｆｄ：バスレフダクトの共振周波数
Ｌ：ダクトの長さ（ｃｍ）
ｒ：ダクトの面積の半径（ｃｍ）
Ｖｃ：キャビネットの実効内容積（リットル）
とした場合、以下のような関係式が成立する。
【数１】
2012191606.tif 000005
したがって、所望の最低共振周波数Ｆｄを得たい場合、必要なダクトの長さＬ、ダクトの面積、及びキャビネットの実効内容積Ｖｃを上記数式から求めることができる。
たとえば、最低共振周波数を約４５Ｈｚに設定したい場合、キャビネットの実効内容積が５リットルのエンクロージャーで、ポートの長さを１．５ｃｍにしたい場合、以下のような関係式から、半径を０．５ｃｍにすればよいことが分かる。
【数２】
2012191606.tif 000006
逆に、半径を０．５ｃｍにしたい場合も、同様の計算によって、ポートの長さを１．５ｃｍにすればよいことが分かる。
このように、所望の最低共振周波数を有するように、各孔部３の断面積及び長さを決定することができる。
なお、上記関係式は、孔部３の断面が円形である場合に成立するが、孔部３の断面が四角形である場合（角型ダクトの場合）、Ｌ１を角型ダクトの幅（ｃｍ）とし、Ｌ２を角型ダクトの高さ（ｃｍ）とした場合、以下の計算式によって、数１の関係式におけるｒを求めて、数１の関係式に当てはめて、角型ダクトの断面積及び長さを決めることができる。
【数３】
2012191606.tif 000007
また、同様の考え方で、すなわち、円の面積と孔部３の断面積とをイコールであるとしてｒを求めることによって、四角形以外の断面を有するダクト（孔部）についても、当該孔部の断面積及び長さを決めることができる。
【００３３】
図４は、低音出力装置１をエンクロージャー６に取り付けたときのスピーカシステム全体の様子を示す斜視図である。図４において、エンクロージャー６全体は、想像線によって示されている。エンクロージャー６の前面には、スピーカユニット５が取り付けられる。ホーン部２は、スピーカユニット５の前面以外の箇所に設けられる。ここで、スピーカユニット５の前面以外の箇所とは、特許文献２〜７のように、スピーカユニットの前面にバッフル面に向かって開いた音響ホーン以外の箇所という意味であり、複数の孔部は、係る音響ホーンには設けられていないという意味である。エンクロージャー６の下部には、斜めに傾斜した底板７が設けられている。ただし、本発明において、底板７は斜めに傾斜していなくてもよい。底板７には、板部材４の形状に合わせた孔が穿孔されている。当該孔に、板部材４が挿入されて、底板７に、低音出力装置１が取り付けられる。図５Ａは、図４におけるＢ−Ｂ面断面図である。図５Ａに示すように、複数の孔部３は、エンクロージャー６の空気室１１内からホーン部２を構成する面（ここでは、上面２ａ）に対して、板部材４及び上面２ａを貫通して設けられることとなる。
【００３４】
このように、本発明の第１の実施形態では、所望の最低共振周波数を有する複数の孔部３を設け、複数の孔部３にホーン部２を連結するように構成することによって、複数の孔部３で増強され位相が反転した低音が、ホーン部２によって音圧を高められることとなる。よって、音圧の高い低音を出力することが可能となる。特に、複数の孔部３という構成によって、長いバスレフポートを用いることとはならないので、低音の歪みが少なくなる。したがって、第１の実施形態によって、歪みが少なくかつ音圧が大きくなるように低音を出力できる低音出力装置１が提供される。
【００３５】
また、第１の実施形態では、スピーカユニット５の前面を前側としたときに、複数の孔部３は、前後方向、左右方向、及び上下方向に配置されることとなる。前後方向の配置によって、音場が奥行き方向で広がる効果が得られる。左右方向の配置によって、音場が左右方向で広がる効果が得られる。上下方向の配置によって、音場が上下方向で広がる効果が得られる。その上、ホーン部２によって、低音が増強されるので、結果、立体感のある音場、すなわち、上下左右及び奥行き方向への音場の広がりを感じることができるスピーカシステムを提供することが可能となる。第１の実施形態では、前後方向、左右方向、及び上下方向に複数の孔部３を配置するために、３×３、すなわち、９つの孔部３を用いることとした。しかし、前後方向、左右方向、及び上下方向に孔部３を配置する場合、たとえば、１×３又は３×１など、最低３つの孔部３を用いればよい。なお、図５Ｂに示すように、複数の孔部３は、下面２ｂ側に設けられていてもよい。この場合、前後、左右、前後方向へ多数の孔部３が形成されることとなるので、音場はさらに広がると期待できる。なお、図５Ｂに示す構造は、後述の第２〜第５の実施形態と同様にして変形することができる。
【００３６】
また、孔部３は、複数である必要があり、好ましくは、３以上であるとよい。孔部３を複数設けるのは、孔部３の長さは、従来のバスレフポートの長さと比べて極端に短くなるので、従来のバスレフポートによって得られる音圧を孔部３によって得ようと思えば、孔部３が複数必要であるからである。したがって、孔部３の数が増えれば、音圧も大きくなり、本発明者の実験では、孔部３が３以上であると、好ましい音圧が得られることが確認できた。たとえば、内容積５リットルのエンクロージャーに対して、孔部３の長さを１．５ｃｍとし、半径を０．５ｃｍとした場合を実験してみた。表３は、孔部３が１個の場合、表４は、孔部３が３個の場合、表５は、孔部３が４個以上の場合である。
【表３】
2012191606.tif 000008
【表４】
2012191606.tif 000009
【表５】
2012191606.tif 000010
表３に示すように、孔部３が１個の場合は、音圧が低いことが確認できる。表４では、孔部３を３個にすれば、音圧が高くなったことが確認できる。表５に示すように、孔部３を４個以上とすれば、さらに、好ましい音圧が得られた。なお、孔部３を３個以上とした場合、音圧の向上は、頭打ちになる可能性があるが、前後方向、左右方向、及び上下方向に孔部３を設けることによって、音場の広がりが得られる。よって、複数の孔部３を３個以上設けつつ、前後方向、左右方向、及び上下方向に孔部３を設けることによって、低音の音圧を高くしつつ、中音の歪みを押さえ、音場の広がり感を得ることができる。
【００３７】
また、第１の実施形態では、上記の例のように、たとえば、孔部３の長さを１．５ｃｍとし、半径を０．５ｃｍとすることによって、所望の効果が得られた。よって、孔部３の長さは、ポートの長さを十分に短くし、小径とするには、エンクロージャーの板厚が５ｃｍ程度のものがあることを考慮すれば、１０ｃｍ以内が好ましく、５ｃｍ以内がより好ましいと考えられる。このように、従来のバスレフポートの長さに比べて、十分に短く小径の孔部３をバスレフポートとして機能させることによって、中音の歪みが少なくなる。
【００３８】
第１の実施形態では、複数の孔部３は、ホーン部２を構成する一側面である上面２ａにのみ設けられているとしている。このように、複数の孔部３をホーン部を構成する一側面にのみ設けることによって、第１の実施形態では、底板７に容易に取り付けることができる。底板７以外にも、エンクロージャー６の左側面や右側面、上面、背面、前面（スピーカユニット５の前面以外の前面）に自由に取り付けることができる。よって、第１の実施形態の低音出力装置１は、エンクロージャー６の好みの位置に取り付けるだけで、低音を増強し、中音の歪みを抑え、広がりのある音場を得られる。
【００３９】
（第２の実施形態）
図６は、本発明の第２の実施形態に係る低音出力装置１の斜視図である。図７は、図６におけるＣ−Ｃ面断面図である。図６及び図７において、第１の実施形態と同様の機能を有する部分は、同一の参照符号を付して、説明を省略し、異なる箇所のみ説明する。
【００４０】
第２の実施形態では、第１の実施形態における板部材４を設けずに、底板７に穿孔された複数の孔部３と上面２ａに穿孔された複数の孔部３との連結によって、複数のバスレフポートを構成する。連結して得られた複数の孔部３の長さ及び断面積が所望の最低共振周波数を有するように設計されている。このように、本発明においては、エンクロージャー６の一側面（ここでは、底板７）に複数の孔部３を穿孔して、ホーン部２に形成された複数の孔部３と連結することによって、複数のバスレフポートを構成してもよい。
【００４１】
（第３の実施形態）
図８は、本発明の第３の実施形態にホーン部２の斜視図である。図９は、ホーン部２が底板７に取り付けられたときの様子を示す断面図である。図８及び図９において、第１の実施形態と同様の機能を有する部分は、同一の参照符号を付して、説明を省略し、異なる箇所のみ説明する。
【００４２】
第３の実施形態では、底板７の一部をホーン部２の上面とする。そして、底板７に穿孔された複数の孔部３と、底板７に取り付けられた板部材８に穿孔された複数の孔部３とを連結することによって、複数のバスレフポートを構成する。連結して得られた複数の孔部３の長さ及び断面積が所望の最低共振周波数を有するように設計されている。このように、本発明においては、エンクロージャー６の一側面（ここでは、底板７）に複数の孔部３を穿孔して、一側面に複数の孔部３が穿孔された板部材８を貼り付けて、複数の孔部３を連結することによって、複数のバスレフポートを構成してもよい。
【００４３】
（第４の実施形態）
図１０は、第４の実施形態に係る低音出力装置１の断面図である。図１１は、第４の実施形態の変形例を示す断面図である。図１０及び図１１に示すように、底板７と上面２ａとの間に、複数の孔部３が穿孔された板部材４を挟んだり、底板７の上に板部材４を足したりして、連結して得られる複数の孔部材３の全体の長さ及び断面積が所望の最低共振周波数を有するように設計してもよい。すなわち、上面２ａ及び底板７の厚みのみでは、所望の最低共振周波数が得られない場合は、板部材４によって、孔部３の長さを嵩ますようにしてもよい。
【００４４】
なお、図１０において、板部材４及び上面２ａによって、複数の孔部の長さが足りているときは、底板７にバスレフポートを構成しない大きな孔を設けて、板部材４を底板７に取り付けてもよい。
【００４５】
（第５の実施形態）
図１２は、本発明の第５の実施形態に係る低音出力装置１の斜視図である。第１の実施形態と異なり、図１２に示すように、ホーン部２１は、開口断面積が均一となっている平坦部２１ａを有し、平坦部２１ａの先以降の断面積が広がるようなホーン構造を有している。このような構造のホーン部２１であっても、第１の実施形態と同様の効果が得られる。図１３は、第５の実施形態の変形例を示す断面図である。図１３に示すように、開口終端の形状は、四角形である必要はなく、円形や楕円形であってもよい。したがって、本発明において、ホーン部は、開口終端の形状を特に限定せず、開口終端の断面積が、終端以外の断面積と比べて広くなっていればよい。
【００４６】
第２〜第５の実施形態のように、ホーン部の一側面に複数の孔部が穿孔されている場合であっても、空気室内からホーン部を構成する面に対して複数の孔部が貫通して設けられていればよい。
【００４７】
第１〜第５の実施形態に示されているように、複数の孔部３は、ホーン部２、エンクロージャー６、又は追加の板部材のように、板部材に穿孔されることによって形成されている。このような簡易な構成で、中音の歪み抑制及び低音の向上を図ることができる。
【００４８】
（第６の実施形態）
図１４は、本発明の第６の実施形態に係る低音出力装置１の斜視図である。図１４において、ホーン部２３は、断面楕円形状の錐台体状であり、開口終端部（図上左側）が開口しており、板部材４１側端部（図上右側）が閉口している。板部材４１には、ホーン部２３まで貫通するように、複数の孔部３が全面に均等間隔で配置されている。なお、複数の孔部３は、均等間隔に配置することとしたが、これは、前後方向、左右方向、及び上下方向の音場感を高めるためである。本発明においては、図１４に示す形状のホーン部２３を用いる場合、複数の孔部３は、２以上であればよく、好ましくは、３以上であればよく、前後方向、左右方向、及び上下方向に配置されていないものも含まれる。
【００４９】
図１４に示す低音出力装置１では、ホーン部を構成する全側面に複数の孔部３を設けることにしている。第１〜第５の実施形態では、一側面にのみ複数の孔部が構成されていたが、第６の実施形態のように、全側面に複数の孔部３を構成してもよい。なお、図１４に示すホーン部２３は、断面円形状となっているが、断面楕円形状、断面多角形状であってもよい。断面多角形状の場合、各側面に複数の孔部３を設け、必要であれば、板部材によって孔部３の長さを確保すればよい。第６の実施形態に示す低音出力装置１をエンクロージャーに取り付ける場合の具体例は、図１６に準じる。
【００５０】
（第７の実施形態）
図１５は、本発明の第７の実施形態に係る低音出力装置１の斜視図である。図１５に示すホーン部２４のように、断面円形状の錐台体状に対して、板部材４２側端部が閉口した円筒状の平坦部２４ａを有する。第７の実施形態においても、複数の孔部３の長さ及び断面積は、それぞれ、所望の最低共振周波数を有するように設計されている。このように、本発明において、ホーン部は、開口終端の断面積が、終端以外の断面積と比べて広くなっていれば、一部に、平坦部を有していたとしてもよい。図１６は、図１５に係る低音出力装置１をエンクロージャー６に取り付けたときのスピーカシステム全体の様子を示す斜視図である。図１６に示すように、板部材９及び１０によってエンクロージャー６内の空気室１１が形成され、複数の孔部３が空気室１１の内部に入るように、低音出力装置１が板部材９に取り付けられている。
【００５１】
第６及び第７の実施形態に示すように、ホーン部の全側面に複数の孔部を穿孔することによって、バスレフ効果及びホーン効果によって、低音を最大限の音圧まで出力し、かつ広い音場形成を可能とする。
【００５２】
第６及び第７の実施形態に示すように、ホーン部の全側面に複数の孔部が穿孔されている場合であっても、空気室内からホーン部を構成する面に対して複数の孔部が貫通して設けられていればよい。
【００５３】
なお、第１〜第５の実施形態のような形状のホーン部であっても、ホーン部の全側面又は二以上の側面に複数の孔部が穿孔されている場合であってもよく、孔部が空気室内に入っており、空気室内からホーン部を構成する面に対して複数の孔部が貫通して設けられていればよい。
【００５４】
なお、第６及び第７の実施形態に示すように、ホーン部の全側面に複数の孔部が穿孔されている場合であっても、複数の孔部は、前記スピーカユニットの前面を前側としたときに、前後方向、左右方向、及び上下方向に複数配置されていればよく、３つ以上であれば好ましく、１０ｃｍ以内の長さを有していればよい。
【００５５】
なお、第１〜第７の実施形態では、複数の孔部の長さ及び断面積はそれぞれ略同一であるとしているが、それぞれ相違していてもよく、複数の孔部それぞれが、所望の最低共振周波数を有するように設計されていればよい。
【００５６】
以上、本発明を詳細に説明してきたが、前述の説明はあらゆる点において本発明の例示にすぎず、その範囲を限定しようとするものではない。本発明の範囲を逸脱することなく種々の改良や変形を行うことができることは言うまでもない。
【産業上の利用可能性】
【００５７】
本発明は、スピーカシステム等に利用可能である。
【符号の説明】
【００５８】
１  低音出力装置
２，２１，２２，２３  ホーン部
２ａ  上面
２ｂ  下面
２ｃ  左側面
２ｄ  右側面
２ｅ  背面
２ｆ  開口
３  複数の孔部
４，８，９，１０，４１，４２  板部材
５  スピーカユニット
６  エンクロージャー
７  底板
１１  空気室
２１ａ，２４ａ  平坦部
【図１】
2012191606.tif 000011
【図２】
2012191606.tif 000012
【図３】
2012191606.tif 000013
【図４】
2012191606.tif 000014
【図５Ａ】
2012191606.tif 000015
【図５Ｂ】
2012191606.tif 000016
【図６】
2012191606.tif 000017
【図７】
2012191606.tif 000018
【図８】
2012191606.tif 000019
【図９】
2012191606.tif 000020
【図１０】
2012191606.tif 000021
【図１１】
2012191606.tif 000022
【図１２】
2012191606.tif 000023
【図１３】
2012191606.tif 000024
【図１４】
2012191606.tif 000025
【図１５】
2012191606.tif 000026
【図１６】
2012191606.tif 000027